(57)【要約】【課題】心線管理が容易に行えるとともに心線利用率の向上が図れるアクセス系光ファイバケーブルの支線系ルート構築方法およびアクセス系光ファイバシステムを提供する。【解決手段】本発明のアクセス系光ファイバケーブルの支線系ルート構築方法では、敷設地域に敷設する支線系ルート２０を１本とする。換言すれば、敷設地域内にある支持物のうち、使用する支持物を予め定め、この予め定められた支持物をできる限り多くかつ交差することなく一筆書きでなぞるように支線系ルート２０を敷設地域に敷設する。また、支線系ルート２０の互いに対向する部分の間隔が所定の間隔以下となるように支線系ルート２０の敷設ルートを選定する。さらに、容易にドロップ系ルートが引き出せるように、支線系ルート２０には所定の間隔でドロップ用クロージャ４１〜５１を設置する。【選択図】  図１
2006020439.tif 000002
【特許請求の範囲】
【請求項１】
幹線系ルート（１０）から支線系ルート（２０）を分岐して敷設地域に敷設するためのアクセス系光ファイバケーブルの支線系ルート構築方法であって、
前記敷設地域に敷設する前記支線系ルートを１本とすることを特徴とする、アクセス系光ファイバケーブルの支線系ルート構築方法。
【請求項２】
幹線系ルート（１０）から支線系ルート（２０）を分岐して敷設地域に敷設するためのアクセス系光ファイバケーブルの支線系ルート構築方法であって、
前記敷設地域内にある支持物のうち、使用する支持物を予め定め、
該予め定められた支持物をできる限り多くかつ交差することなく一筆書きでなぞるように前記支線系ルートを該敷設地域に敷設することを特徴とする、アクセス系光ファイバケーブルの支線系ルート構築方法。
【請求項３】
前記支線系ルートの互いに対向する部分の間隔が所定の間隔以下となるように該支線系ルートの敷設ルートを選定することを特徴とする、請求項１または２記載のアクセス系光ファイバケーブルの支線系ルート構築方法。
【請求項４】
前記支線系ルートに所定の間隔ごとにドロップ用クロージャ（４１〜５１）を設置することを特徴とする、請求項１乃至３いずれかに記載のアクセス系光ファイバケーブルの支線系ルート構築方法。
【請求項５】
前記支線系ルートを敷設したのちに該支線系ルートからドロップ系ルートを引き出せない地域が生じた場合には、支線用クロージャ（３１）を該支線系ルートに設置して該支線用クロージャから別の支線系ルートを分岐するようにしたことを特徴とする、請求項１乃至４いずれかに記載のアクセス系光ファイバケーブルの支線系ルート構築方法。
【請求項６】
前記支線系ルートが前記敷設地域内を蛇行するように該支線系ルートの敷設ルートを選定することを特徴とする、請求項１乃至５いずれかに記載のアクセス系光ファイバケーブルの支線系ルート構築方法。
【請求項７】
前記支線系ルートが前記敷設地域の中央部を囲むように該支線系ルートの敷設ルートを選定することを特徴とする、請求項１乃至５いずれかに記載のアクセス系光ファイバケーブルの支線系ルート構築方法。
【請求項８】
幹線系ルート（１０）と、
該幹線系ルートに設けられた幹線用クロージャ（１１）と、
該幹線用クロージャを用いて前記幹線系ルートから分岐されて敷設地域に敷設された支線系ルート（２０）と、
該支線系ルートに設置されたドロップ用クロージャ（４１〜５１）と、
を備え、
前記支線系ルートが、前記敷設地域内にある支持物のうち、使用する支持物を予め定め、該予め定められた支持物をできる限り多くかつ交差することなく一筆書きでなぞるように前記敷設地域に敷設されていることを特徴とする、アクセス系光ファイバシステム。
【請求項９】
前記支線系ルートを敷設したのちに該支線系ルートからドロップ系ルートを引き出せない地域が生じた場合に該支線系ルートから別の支線系ルートを分岐するために該支線系ルートに設置された支線用クロージャ（３１）をさらに備えることを特徴とする、請求項８記載のアクセス系光ファイバシステム。
【発明の詳細な説明】
【技術分野】
【０００１】
本発明は、アクセス系光ファイバケーブルの支線系ルート構築方法およびアクセス系光ファイバシステムに関する。
【背景技術】
【０００２】
従来、電柱を支持物として用いてアクセス系光ファイバケーブルを敷設する場合には、配電線ルートを参考に支線系ルートを構築していた。すなわち、図２に示すように、最寄りの幹線系ルート１００（幹線系光ファイバケーブル）に設置された幹線用クロージャ１１０から第１の支線系ルート１２１（支線系光ファイバケーブル）を分岐して敷設し、更に、道路交差点では第１の支線系ルート１２１に設置された第１乃至第４の支線用クロージャ１３１〜１３４から第２乃至第５の支線系ルート１２２〜１２５をそれぞれ分岐させる構成としている。なお、このように敷設された第１乃至第５の支線系ルート１２１〜１２５は魚の骨の形をしているため、以下ではこのような構成を「魚の骨型構成」と称する。
また、各ユーザへの光ファイバ心線の供給は、第１乃至第５の支線系ルート１２１〜１２５に設置されたドロップ用クロージャ１４１〜１６０からドロップ系ルート（ドロップ用光ファイバケーブル）を分岐することにより行われている。
【０００３】
なお、ケーブル布設のための工事費を低減するために布設ルート長の最小化および増設方式の系統化，効率化を目的として、分配点をセンタとの距離が最小となるように各分配区域内に定め、き線ルートと配線ルートの共通部分が可及的に大となるようにルートを選定し、き線ルートおよび定められた配線ルートを基準としてルートの増設を行うケーブル布設ルート設定方式が、以下に示す特許文献１に開示されている。
【特許文献１】特開平５−６０９２１号公報
【発明の開示】
【発明が解決しようとする課題】
【０００４】
しかしながら、上述した配電線ルートを参考に支線系ルートを構築する方法では、１つの支線系ルート（図２に示した例では、第１の支線系ルート１２１）から複数の支線系ルート（図２に示した例では、第２乃至第５の支線系ルート１２２〜１２５）が分岐されているため、幹線系ルートの光ファイバ心線数，分岐光ファイバ心線数および分岐数などを考慮してクロージャの接続形態を決定する必要があり、心線管理が複雑になるという問題がある。
また、ユーザの有無に拘わらず第１の支線系ルート１２１の光ファイバ心線のうちの所定数の光ファイバ心線は第２乃至第５の支線系ルート１２２〜１２５へ分岐されるが、この分岐される光ファイバ心線は、分岐点（第１乃至第４の支線用クロージャ１３１〜１３４）おいて切断されるため、分岐点以降はダークファイバ（使用されない光ファイバ心線）となる。このため、第１の支線系ルート１２１の心線利用率が低下するという問題もある。
【０００５】
本発明の目的は、心線管理が容易に行えるとともに心線利用率の向上が図れるアクセス系光ファイバケーブルの支線系ルート構築方法およびアクセス系光ファイバシステムを提供することにある。
【課題を解決するための手段】
【０００６】
本発明のアクセス系光ファイバケーブルの支線系ルート構築方法は、幹線系ルート（１０）から支線系ルート（２０）を分岐して敷設地域に敷設するためのアクセス系光ファイバケーブルの支線系ルート構築方法であって、前記敷設地域に敷設する前記支線系ルートを１本とすること、換言すれば、前記敷設地域内にある支持物のうち、使用する支持物を予め定め、該予め定められた支持物をできる限り多くかつ交差することなく一筆書きでなぞるように前記支線系ルートを該敷設地域に敷設することを特徴とする。
ここで、前記支線系ルートの互いに対向する部分の間隔が所定の間隔以下となるように該支線系ルートの敷設ルートを選定してもよい。
前記支線系ルートに所定の間隔ごとにドロップ用クロージャを設置してもよい。
前記支線系ルートを敷設したのちに該支線系ルートからドロップ系ルートを引き出せない地域が生じた場合には、支線用クロージャを該支線系ルートに設置して該支線用クロージャから別の支線系ルートを分岐するようにしてもよい。
前記支線系ルートが前記敷設地域内を蛇行するように該支線系ルートの敷設ルートを選定してもよい。
前記支線系ルートが前記敷設地域の中央部を囲むように該支線系ルートの敷設ルートを選定してもよい。
【０００７】
本発明のアクセス系光ファイバシステムは、幹線系ルート（１０）と、該幹線系ルートに設けられた幹線用クロージャ（１１）と、該幹線用クロージャを用いて前記幹線系ルートから分岐されて敷設地域に敷設された支線系ルート（２０）と、該支線系ルートに設置されたドロップ用クロージャ（４１〜５１）とを備え、前記支線系ルートが、前記敷設地域内にある支持物のうち、使用する支持物を予め定め、該予め定められた支持物をできる限り多くかつ交差することなく一筆書きでなぞるように前記敷設地域に敷設されていることを特徴とする。
ここで、前記支線系ルートを敷設したのちに該支線系ルートからドロップ系ルートを引き出せない地域が生じた場合に該支線系ルートから別の支線系ルートを分岐するために該支線系ルートに設置された支線用クロージャ（３１）をさらに備えていてもよい。
【発明の効果】
【０００８】
本発明のアクセス系光ファイバケーブルの支線系ルート構築方法およびアクセス系光ファイバシステムは次の効果を有する。
（１）１本の支線系ルートのみで敷設地域全体をカバーすることができるため、幹線系ルートの光ファイバ心線数，分岐光ファイバ心線数および分岐数などを考慮してクロージャの接続形態を決定する必要がなくなり、心線管理が容易となる。
（２）支線系ルートの光ファイバ心線は原則としてドロップ系ルートにのみ分岐されるため、支線系ルートの光ファイバ心線のうち分岐点（ドロップ用クロージャ）以降にダークファイバ（使用されない光ファイバ心線）となるものは、ユーザに実際に接続されるものだけになるので、支線系ルートのダークファイバを減らすことができ、心線利用率を向上させることができる。
（３）ユーザの増加などにより支線系ルートを敷設したのちにこの支線系ルートからドロップ系ルートを引き出せない地域が生じても、支線用クロージャを支線系ルートに設置してこの支線用クロージャから別の支線系ルートを分岐することにより、容易に対応することができる。
【発明を実施するための最良の形態】
【０００９】
心線管理が容易に行えるとともに心線利用率の向上が図れるようにするという目的を、敷設地域に敷設する支線系ルートを１本とすること、換言すれば、敷設地域内の予め定められた多数の支持物をできる限り多くかつ交差することなく一筆書きでなぞるように支線系ルートを敷設地域に敷設することにより実現した。
【実施例１】
【００１０】
以下、本発明のアクセス系光ファイバケーブルの支線系ルート構築方法およびアクセス系光ファイバシステムの実施例について図面を用いて説明する。
本発明の一実施例によるアクセス系光ファイバケーブルの支線系ルート構築方法では、図１に示すように、敷設地域に敷設する支線系ルート２０（支線系光ファイバケーブル）を１本とする。換言すれば、敷設地域内の支持物となる電柱のうち、使用する電柱を予め定め、この予め定められた電柱をできる限り多くかつ交差することなく一筆書きでなぞるように支線系ルート２０を敷設地域に敷設する。以下、図１に示したような構成を「一筆書き型構成」と称する。
このとき、支線系ルート２０の互いに対向する部分の間隔が所定の間隔（たとえば、３００ｍ程度）以下となるように支線系ルート２０の敷設ルートを選定する。また、容易にドロップ系ルート（ドロップ用光ファイバケーブル）が引き出せるように、支線系ルート２０には所定の間隔（たとえば、１５０ｍ程度の間隔）ごとにドロップ用クロージャ４１〜５１を設置する。これにより、最寄りの幹線系ルート１０（幹線系光ファイバケーブル）に設置された幹線用クロージャ１１から分岐した１本の支線系ルート２０のみで敷設地域全体をカバーすることができる。
【００１１】
また、このように一筆書き型構成で支線系ルート２０を敷設したのちに、ユーザの増加などにより支線系ルート２０からドロップ系ルートを引き出せない地域が生じた場合には、幹線系ルート１０に設置された別の幹線用クロージャから同様にして他の支線系ルートを一筆書き型構成で敷設してドロップ系ルートを引き出せるようにしてもよいが、図１に示すように支線用クロージャ３１を支線系ルート２０に設置して支線用クロージャ３１から別の支線系ルートを分岐するようにしてもよい。
【００１２】
以上説明した本実施例によるアクセス系光ファイバケーブルの支線系ルート構築方法を用いることにより、以下に示す本発明の一実施例によるアクセス系光ファイバシステムを構成することができる。
本実施例によるアクセス系光ファイバシステムは、幹線系ルート１０と、幹線系ルート１０に設けられた幹線用クロージャ１１と、幹線用クロージャ１１を用いて幹線系ルート１０から分岐されて敷設地域に敷設された支線系ルート２０と、支線系ルート２０に設置されたドロップ用クロージャ４１〜５１と、支線系ルート２０を敷設したのちに支線系ルート２０からドロップ系ルートを引き出せない地域が生じた場合に支線系ルート２０から別の支線系ルートを分岐するために支線系ルート２０に設置された支線用クロージャ３１とを備える。ここで、支線系ルート２０は、敷設地域内にある電柱（支持物）のうち、使用する電柱を予め定め、予め定められた電柱をできる限り多くかつ交差することなく一筆書きでなぞるように敷設地域に敷設されている。
【００１３】
次に、本実施例によるアクセス系光ファイバケーブルの支線系ルート構築方法を用いて支線系ルートを構築する例について、従来のアクセス系光ファイバケーブルの支線系ルート構築方法と比較して、図３および図４を参照して説明する。
まず、図３に示す例について説明する。
従来のアクセス系光ファイバケーブルの支線系ルート構築方法では、図３に破線で示すように、幹線系ルート２１０に設置された幹線用クロージャ２１１から２本の支線系ルート（第１および第２の支線系ルート２２１，２２２）を敷設地域を挟むように引き出したのち、第１および第２の支線系ルート２２１，２２２から交互に第３乃至第５の支線系ルート２２３〜２２５を第１乃至第３の支線用クロージャ（不図示）を用いてそれぞれ分岐させることによって、魚の骨型構成を構築する。なお、支持物としては、道路に沿って設けられた電柱（○及び◎で図示）を使用する。
これに対して、本実施例によるアクセス系光ファイバケーブルの支線系ルート構築方法では、支線系ルート３２１の互いに対向する部分の間隔が所定の間隔以下となるように、敷設地域内の電柱のうち、支持物として使用する電柱を予め定める。この例の場合には、従来のアクセス系光ファイバケーブルの支線系ルート構築方法で使用された電柱のほか、第５の支線系ルート２２５よりも図示左上の部分の第１の支線系ルート２２１が敷設された道路と第２の支線系ルート２２２が敷設された道路とを結ぶ道路に設けられた電柱が、支持物として使用する電柱として予め定められる。
その後、この予め定められた電柱をできる限り多くかつ交差することなく一筆書きでなぞるように（この例の場合には、支線系ルート３２１が敷設地域内を蛇行するように）支線系ルート３２１の敷設ルートを選定することによって、一筆書き型構成を構築する。具体的には、図３に実線で示すように、幹線系ルート２１０に設置された幹線用クロージャ２１１から１本の支線系ルート３２１を引き出したのち、従来のアクセス系光ファイバケーブルの支線系ルート構築方法における第２の支線系ルート２２２，第４の支線系ルート２２４，第１の支線系ルート２２１の第４の支線系ルート２２４と第３の支線系ルート２２３との間の部分，第３の支線系ルート２２３，第２の支線系ルート２２２の第３の支線系ルート２２３と第５の支線系ルート２２５との間の部分，第５の支線系ルート２２５，第１の支線系ルート２２１の第５の支線系ルート２２５よりも図示左上の部分および第２の支線系ルート２２２の図示右上側の部分を通るように敷設することによって、一筆書き型構成を構築する。
これにより、本実施例によるアクセス系光ファイバケーブルの支線系ルート構築方法では、１本の支線系ルート３２１のみで敷設地域全体をカバーすることができるため、幹線系ルート２１０の光ファイバ心線数，分岐光ファイバ心線数および分岐数などを考慮してクロージャの接続形態を決定する必要がなくなり、心線管理が容易となる。
また、支線系ルート３２１の光ファイバ心線を他の支線系ルートへ分岐する必要がないため、支線系ルート３２１の光ファイバ心線のうち従来の魚の骨型構成のように他の支線系ルートへの分岐によりダークファイバとなる光ファイバ心線をなくすことができ、心線利用率を向上させることができる。
【００１４】
次に、図４に示す例について説明する。
従来のアクセス系光ファイバケーブルの支線系ルート構築方法では、図４に破線で示すように、幹線系ルート２１０に設置された幹線用クロージャ２１１から第１の支線系ルート４２１を敷設地域のほぼ中央部を通るように引き出したのち、第２および第３の支線系ルート４２２，４２３を第１および第２の支線用クロージャ（不図示）を用いてそれぞれ分岐させることによって、魚の骨型構成を構築する。
これに対して、本実施例によるアクセス系光ファイバケーブルの支線系ルート構築方法では、支線系ルート３２１の互いに対向する部分の間隔が所定の間隔以下となるように、敷設地域内の電柱のうち、支持物として使用する電柱を予め定める。この例の場合には、従来のアクセス系光ファイバケーブルの支線系ルート構築方法で使用された電柱のほか、第２の支線系ルート４２２の図示右端と第３の支線系ルート４２３の図示右端とを結ぶ道路に設けられた電柱と、第２の支線系ルート４２２の図示左側の部分と第３の支線系ルート４２３の図示左端とを結ぶ道路に設けられた電柱とが、支持物として使用する電柱として予め定められる。
その後、この予め定められた電柱をできる限り多くかつ交差することなく一筆書きでなぞるように（この例の場合には、支線系ルート５２１が敷設地域の中央部を囲むように）支線系ルート５２１の敷設ルートを選定することによって、一筆書き型構成を構築する。具体的には、図４に実線で示すように、幹線系ルート２１０に設置された幹線用クロージャ２１１から１本の支線系ルート５２１を引き出したのち、従来のアクセス系光ファイバケーブルの支線系ルート構築方法における第１の支線系ルート４２１，第２の支線系ルート４２２の図示右側の部分，第３の支線系ルート４２３および第２の支線系ルート４２２の図示左側の先端側部分を通るように敷設することによって、一筆書き型構成を構築する。
これにより、本実施例によるアクセス系光ファイバケーブルの支線系ルート構築方法では、１本の支線系ルート５２１のみで敷設地域全体をカバーすることができるため、幹線系ルート２１０の光ファイバ心線数，分岐光ファイバ心線数および分岐数などを考慮してクロージャの接続形態を決定する必要がなくなり、心線管理が容易となる。
また、支線系ルート５２１の光ファイバ心線を他の支線系ルートへ分岐する必要がないため、支線系ルート５２１の光ファイバ心線のうち従来の魚の骨型構成のように他の支線系ルートへの分岐によりダークファイバとなる光ファイバ心線をなくすことができ、心線利用率を向上させることができる。
【産業上の利用可能性】
【００１５】
本発明のアクセス系光ファイバケーブルの支線系ルート構築方法およびアクセス系光ファイバシステムは、アクセス系光ファイバ網を構築するのに使用することができる。
【図面の簡単な説明】
【００１６】
【図１】本発明の一実施例によるアクセス系光ファイバケーブルの支線系ルート構築方法を説明するための図である。（実施例１）
【図２】従来のアクセス系光ファイバケーブルの支線系ルート構築方法を説明するための図である。
【図３】本発明の一実施例によるアクセス系光ファイバケーブルの支線系ルート構築方法と従来のアクセス系光ファイバケーブルの支線系ルート構築方法との比較の一例を示す図である。（実施例１）
【図４】本発明の一実施例によるアクセス系光ファイバケーブルの支線系ルート構築方法と従来のアクセス系光ファイバケーブルの支線系ルート構築方法との比較の他の例を示す図である。（実施例１）
【符号の説明】
【００１７】
１０，２１０  幹線系ルート
１１，２１１  幹線用クロージャ
２０，３２１，５２１  支線系ルート
３１  支線用クロージャ
４１〜５１  ドロップ用クロージャ
【図１】
2006020439.tif 000003
【図２】
2006020439.tif 000004
【図３】
2006020439.tif 000005
【図４】
2006020439.tif 000006